(57)【要約】【課題】  天板表面の装飾図案を汚損するおそれなくテーブルとして手軽に利用することができるとともに、テーブルを使用しないときには、床面上の設置スペースを全く要しない極めて軽量な額飾りとして利用可能な額飾り兼用テーブルを提供する。【解決手段】  発泡樹脂材料１１Ｂをアルミニウム表面板１１Ａ，１１Ａによって表裏から挟み込んでなる軽量な天板１１の周縁部を、アルミニウム型材からなる軽量な枠フレーム１２によって額縁状に取り囲み、枠フレーム１２の四隅に裏面側から支脚固定板１４を着脱自在に取り付け、天板１１の四隅を枠フレーム１２との間に挟み込む。天板１１の表面に装飾図案を施し、天板１２に透明樹脂板１３を添設して装飾図案を保護するとともに、四隅の支脚固定板１４には、任意の支脚１５を着脱自在に取り付けてテーブルとする。支脚１５を取り外して軽量な額飾りとする。【選択図】  図２
2005192884.tif 000002
【特許請求の範囲】
【請求項１】
板状の発泡樹脂材料を表裏一対のアルミニウム表面板によって挟み込んでなる３層構造の天板と、
該天板の周縁部を押さえ込む状態で該天板の周囲に取付けるアルミニウム引き抜き型材からなる枠フレームと、
該枠フレームの四隅に前記天板の四隅を挟み込む状態で裏面側から着脱自在に取り付ける支脚固定板と、
該支脚固定板に着脱自在に取り付ける４本の支脚と、前記天板上に添設する透明樹脂板とを備え、
前記天板と透明樹脂板との間に任意デザインの装飾図案を介在させてなる、
軽量化された額飾り兼用テーブル。
【請求項２】
前記装飾図案は、前記天板のアルミニウム表面板に直接に描画されて前記天板と透明樹脂板との間に介在すること、を特徴とする、
請求項１に記載の軽量化された額飾り兼用テーブル。
【請求項３】
前記天板の表裏のアルミニウム表面板に異なるデザインの装飾図案が直接に描画されていること、を特徴とする、
請求項２に記載の軽量化された額飾り兼用テーブル。
【請求項４】
前記装飾図案は、シート部材に描画されて前記天板と透明樹脂板との間に挟み込まれ、前記透明樹脂板の周縁部が天板とともに前記枠フレームによって押さえ込まれていること、を特徴とする、
請求項１に記載の軽量化された額飾り兼用テーブル。
【発明の詳細な説明】
【技術分野】
【０００１】
本発明は、支脚を取り外すことによって極めて軽量な額飾りとしての利用が可能であり、テーブルとして利用する場合においても、天板表面の装飾図案が汚損しないように工夫した軽量化された額飾り兼用テーブルに関する。
【背景技術】
【０００２】
テーブルは、来客を応接する上で欠くことができない備品である。テーブルのサイズは、様々であるが、一般家庭においても、不特定人数の来客に備えて大き目のものが準備されている。このような来客を予想した大型のテーブルは、来客があるときには、必要とされる物品ではあるが、来客がないときには大きなスペースを占有する、いわば、粗大な邪魔物であることが多い。また、小さな敷地での利用を考えた住宅建設を計画するとき、テーブルに何らかの工夫を施すことによって、テーブルを使用しないときにおいて、部屋内で大きなスペースを占有しない態様で、テーブルにテーブル以外の機能を発揮させようとすることを、設計企画し要求されるようになってきている。
【０００３】
このような考え方に基づく従来例としては、特許電子図書館（ＩＰＤＬ）利用による検索調査では、次のようなものが存在する。
【特許文献１】実開昭５４−１２５５４号公報
【特許文献２】実開昭６０−１３０４５号公報
【特許文献３】特開２００２−１７４８１号公報
【特許文献４】特開２００３−７０５４９号公報
【０００４】
特許文献１ないし特許文献３は、いずれもテーブルを黒板に兼用する発想に基づくものであり、テーブルの天板自体ではなく、天板を支持する脚部材またはスタンド部材に天板を起立姿勢として維持するための工夫を凝らしたものである。このような発想は、テーブルと黒板とを常時併設しておくことのスペースの無駄、および設備投資上の無駄を削減しようとする要望に基づくものであり、学校や研究所、企業の事務所等の黒板を必要とする施設を適用対象としている。したがって、黒板を使用しない一般家庭の応接テーブル、また、企業においても重要人物等を応接する応接室用のテーブル、および、会食を目的とするようなテーブルとしては、黒板としての天板の仕上げ並びに機械装置構造を伴う脚部材、または、スタンド部材の場所的に不似合な外観では、適用することができない内容である。
【０００５】
特許文献４には、テーブルを屏風に兼用する提案が見られる。この提案は、テーブルの天板を屈曲可能に連結した２枚以上のパネルによって構成するととに、これに折り畳み可能な脚部材を取り付けたものである。テーブルとして使用するときは、２枚以上のパネルを直線状にロックするとともに脚部材を起立姿勢として使用し、テーブルを使用しないときは、脚部材を折り畳んで２枚以上のパネルに適度の角度を与えて自立可能とする。また、屏風としての装飾性に関しては、パネル面に象嵌、突き板の寄せ張り等を施すものとしている。
【０００６】
上記提案は、テーブルとしての要求と屏風としての要求のいずれをも十分に満たすことができない可能性が大きい。一般論としては、テーブルには重厚な安定感が要求され、また、屏風には、軽快な仕上げが要求されるが、上記提案においては、テーブル天板に視覚的安定感を欠く原因となる切断線が存在することが避けられない。また、テーブルとして十分な重量と仕上げを付与すれば、屏風としては、違和感を伴い、倒れた場合の現実の危険をも伴う。さらに、屏風は、ジグザグに屈曲させることによって自立するので、実際には、見た目以上に設置スペースを要する。テーブルとしての経時使用によって、天板表面の装飾に汚損が生じ、屏風としての装飾性に問題が生じるのを防ぐためには、天板に対する装飾手段が水濡れに耐えるものである等、極く限定されるという問題点も指摘することができる。
【発明の開示】
【発明が解決しようとする課題】
【０００７】
本発明は、テーブルおける従来の兼用用途において達成され得なかった問題点、すなわち、テーブル用途以外の兼用用途に使用する場合にも、相応の設置スペースを要するという問題、兼用とすることに起因していずれかの用途において十分な機能を発揮することが困難となるという問題。あるいは、視覚的に不相応な外観とならざるを得ないという問題を解決することができる新たなテーブルの兼用用途を意図するものであり。より具体的には、テーブルの兼用用途として、床面上の設置スペースを全く必要としない壁面に掛けて利用する額飾りを設定するとともに、この際に、本来の用途であるテーブルとして要求される重厚な安定感と、額飾りとしては、壁面に簡単に掛止することができる程度に軽量であって、しかも額飾りとして相応な装飾図案の展示機能を両立させることを目的とする。
【課題を解決するための手段】
【０００８】
この目的を達成するために、本発明に係る軽量化された額飾り兼用テーブルは、板状の発泡樹脂材料を表裏一対のアルミニウム表面板によって挟み込んでなる３層構造の天板と、天板の周縁部を押さえ込む状態で天板の周囲に取付けるアルミニウム引き抜き型材からなる枠フレームと、枠フレームの四隅に天板の四隅を挟み込む状態で裏面側から着脱自在に取り付ける支脚固定板と、支脚固定板に着脱自在に取り付ける４本の支脚と、天板上に添設する透明樹脂板とを備え、天板と透明樹脂板との間に任意デザインの装飾図案を介在させることを特徴とする。
【０００９】
この構成に係る軽量化された額飾り兼用テーブルは、テーブルとしては、４本の支脚によって枠フレームを備える天板の四隅を支持させ、そのことにより安定した形態をとることができるとともに、天板上の装飾図案は、透明樹脂板との間に挟み込まれた状態となっているので、テーブルとして長期間使用しても装飾図案が汚損または変色することはなく、装飾図案としては、蒔き絵や沈金、水彩、油彩、ちぎり絵等、通常のテーブルの表面には採用し難い高級な仕上げ、または耐久性に乏しい仕上げのものであっても、採用し展示することが可能である。テーブルから着脱自在である４本の支脚と透明樹脂板とを取り外せば、残る天板と枠フレームと支脚固定板は、全体として所定厚みの板状を呈する。ここで、天板は、発泡樹脂材料とその表裏のアルミニウム表面板とからなり、また、枠フレームには、アルミニウム引き抜き型材が採用されることにより、中空状に形成したことにより軽量であり、かつ、木製に比して剛性も高く、通常の額飾り同様の手段によって簡単に壁面に取り付けることができる。この際、枠フレームは、額縁として機能するとともに、天板はカンバス等として機能し、透明樹脂板によって保護されていた装飾図案は、描画当初の鮮度を維持し、四隅の支脚固定板は、コーナ補強部材として機能することができる。
【００１０】
軽量化された額飾り兼用テーブルにおける装飾図案は、天板のアルミニウム表面板に直接に描画することができる。アルミニウムは、有孔性の金属組織を有することにより各種の塗料および接着剤に対する付着性に優れているので、塗り手段による描画にも貼り付け手段による描画にも広く適応することができる。
【００１１】
軽量化された額飾り兼用テーブルにおける天板は、その表裏のアルミニウム表面板にそれぞれ異なるデザインの装飾図案が描画されたものとすることができる。
【００１２】
天板は、枠フレームと、その四隅に配設された支脚固定板とによって挟み込まれて固定されており、着脱自在である支脚固定板を取り外すことによって、簡単に表裏を反転することができる。したがって、天板の表裏に異なる装飾図案を描画しておくことによって、天板の表面に現れる装飾図案を季節等に合わせて２者択一的に入れ替えることができる。
【００１３】
軽量化された額飾り兼用テーブルにおける装飾図案は、シート部材に描画されて天板と透明樹脂板との間に挟み込まれるとともに、透明樹脂板は、その周縁部が天板とともに枠フレームによって押さえ込まれているものとすることができる。
【００１４】
この構成では、テーブルの表面に現わすことのできる装飾図案ないし額飾りとして展示対象となる装飾図案の選択範囲は、シート状であることを条件とすれば、事実上無制限とすることができる。また、友禅等の装飾図案を現わした布地を挟み込むことも可能となる。透明樹脂板は、枠フレームによって天板とともに押さえ込まれていることにより、天板を起立姿勢としても天板に密着した状態を維持するので、額飾りとして利用する際においても、装飾図案を描画したシート部材を挟み込んだ状態で保持することができる。
【発明の効果】
【００１５】
本発明に係る軽量化された額飾り兼用テーブルは、テーブルとしての使用時において、テーブル表面に現れる装飾図案が透明樹脂板によって保護されるので、水濡れや擦過傷等を気にすることなく豪華な装飾図案を施したテーブルを手軽に使用することができるとともに、各部の材料の適切な選択により、４本の支脚を取り外せば、残る部分が極めて軽量なものとなるので、これを壁面に掛けることによって、床面上の設置スペースを全く要することのない豪華な装飾図案を有する額飾りとして利用することができる。
【発明を実施するための最良の形態】
【００１６】
以下、図面を引用しながら本発明の実施の形態を説明する。軽量化された額飾り兼用テーブル１０は、枠フレーム１２および透明樹脂板１３を伴う天板１１と、天板１１の四隅位置に配置される４本の支脚１５，１５…を主要部材としてなり、天板１１の表面には、蒔き絵の装飾図案ＤＷが施されている（図１）。
【００１７】
天板１１は、発泡樹脂材料１１Ｂを表裏一対のアルミニウム表面板１１Ａ，１１Ａによって挟み込んで１枚板状に一体化した３層構造材料からなり（図２）、軽量であっても曲げ強度が極く大きい。発泡樹脂材料１１Ｂには、硬質の発泡スチロールを採用されている。一対のアルミニウム表面板１１Ａ，１１Ａには、合成漆塗料が塗布され、天板１１の表面側とする一方のアルミニウム表面板１１Ａには、前述の装飾図案ＤＷが描画されている。また、天板１１の表面には、天板１１と同一サイズの透明樹脂板１３が天板１１に重ね合せる状態で添設されている。なお、透明樹脂板１３の樹脂材料としては、成形後硬質であるアクリルやポリカーボネイトが適する。
【００１８】
天板１１の四周は、額縁状に形成した枠フレーム１２によって囲まれている（図１，図２）。枠フレーム１２は、天板１１の四周に対応した４本のアルミニウム引き抜き型材１２Ａ，１２Ａ…の端部を斜め４５度に切断し、全体として角枠状に突き合わせ接合したものである。各アルミニウム引き抜き型材１２Ａの断面形状は、斜辺を有するボックス断面部２Ｂと突出辺１Ａとからなり、突出辺２Ａによって透明樹脂板１３の周縁部を天板１１とともに上方から押さえ込む状態で組み付けられている。
【００１９】
なお、枠フレーム１２の突き合わせ接合には、コーナ金具１２Ｂが用いられている（図３）。コーナ金具１２Ｂは、直角に形成した鋼板からなり、隣接するアルミニウム引き抜き型材１２Ａ，１２Ａ固定用のねじ孔Ｈ１…と、支脚固定板１４を固定するためのねじ孔Ｈ２…を有する。コーナ金具１２Ｂの板幅は、アルミニウム引き抜き型材１２Ａのボックス断面部２Ｂ内にがたつきなく挿入する板幅に設定され（図２，図３）、アルミニウム引き抜き型材１２の裏面側から固定ねじＢ１を螺入して接合する方式である（図２，図４）。また、枠フレーム１２の接合部は、金属用の接着剤またはパテで凝着・埋め込み接着仕上げされ、枠フレーム１２全体には、天板１１と同じ合成漆塗料が塗布される。
【００２０】
枠フレーム１２の四隅には、裏面側から支脚固定板１４が取り付けられ、天板１１の四隅を枠フレーム１２の突出辺２Ａとの間に挟み込んでいる。支脚固定板１４は、鋼板のプレス加工部材であり、円形の台座１４Ｄが押し出されている。台座１４Ｄの中心部には、透孔Ｈ３が形成され、台座１４Ｄの内部には、透孔Ｈ３に対応してナット１４Ｎが溶接付けされている。支脚固定板１４は、枠フレーム１２内部のコーナ金具１２Ｂのねじ孔Ｈ２…に到達する固定ねじＢ２…によってアルミニウム引き抜き型材１２Ａの板厚を挟み込んで固定されている。このような構造では、枠フレーム１２から支脚固定板１４を取り外すことによって、枠フレーム１２と天板１１とを簡単に分離することができる。
【００２１】
４本の支脚１５…は、それぞれ、枠フレーム１２の四隅の支脚固定板１４に取り付けられている。各支脚１５は、上下の端部を末端処理した金属パイプ材からなり、支脚１５の上端には、支脚固定板１４の内部のナット１４Ｎに螺合するボルト１５Ｂが突設されており、支脚１５は、支脚１５全体を回転させてボルト１５Ｂをナット１４Ｎに螺入することにより支脚固定板１４に着脱自在に取り付けられている。
【００２２】
本発明の軽量化された額飾り兼用テーブル１０における透明樹脂板１３は、枠フレーム１２によって押さえ込むことなく、枠フレーム１２内に落とし込むようにして天板１１に添設するようにしてもよい（図５）。この構成によって、枠フレーム１２を形成するアルミニウム引き抜き型材１２Ａの突出辺２Ａと透明樹脂板１３とを面一に揃えることができるので、テーブルとしての使い勝手を向上させることができる。
【００２３】
また、支脚固定板１４には、支脚１５に換えて掛止孔１６Ｈを形成した掛止金具１６を取り付けることができる。テーブルを額飾りとして壁面に取り付ける際に便宜とする趣旨である。掛止金具１６は、支脚１５固定用のナット１４Ｎに適合するボルトＢ３によって強固に固定することが可能であり、この取付け方においては、ボルトＢ３を弛めることによって掛止金具１６の方向を変更することも容易である。
【００２４】
装飾図案ＤＷに関しては、天板１１の表裏のアルミニウム表面板１１Ａ，１１Ａに異なるデザインの装飾図案を描画しておき、いずれかの面を選択して展示することもできる。天板１１は、簡単に表裏反転することができるからである。また、装飾図案ＤＷは、シート部材に描画したものを天板１１と透明樹脂板１３との間に挟み込んで天板１１の表面側に現わすこともできる。装飾図案ＤＷの選択範囲を格段に広めることができる。
【００２５】
いずれの形態においても、本発明の軽量化された額飾り兼用テーブル１０は、支脚１５…を取り外した残る天板１１および枠フレーム１２部分は、極めて軽量であるので、掛止金具１６を利用して、または、利用しなくても容易に壁面Ｗ１に取り付けて豪華な装飾図案ＤＷを楽しみながら、床面Ｆ１を有効に活用することができる（図７）。
【図面の簡単な説明】
【００２６】
【図１】本発明の実施の形態を示す斜視図。
【図２】本発明の実施の形態を示す図１のＸ−Ｘ線矢視断面図。
【図３】本発明の実施の形態を示す要部の組み立て説明図。
【図４】本発明の実施の形態を示す図１のＹ矢視底面図。
【図５】本発明の他の実施の形態を示す要部の断面図。
【図６】本発明の他の実施の形態を示す要部の底面図。
【図７】本発明の実施の形態における額飾りとしての使用状態説明図。
【符号の説明】
【００２７】
ＤＷ      装飾図案
１０      軽量化された額飾り兼用テーブル
１１      天板
１１Ａ    アルミニウム表面板
１１Ｂ    発泡樹脂材料
１２      枠フレーム
１２Ａ    アルミニウム引き抜き型材
１３      透明樹脂板
１４      支脚固定板
１５      支脚
【図１】
2005192884.tif 000003
【図２】
2005192884.tif 000004
【図３】
2005192884.tif 000005
【図４】
2005192884.tif 000006
【図５】
2005192884.tif 000007
【図６】
2005192884.tif 000008
【図７】
2005192884.tif 000009